(57)【要約】【課題】スクィーズ処理が施された映像信号から適正な静止画を得ることができる映像信号処理装置を提供する。【解決手段】入力された映像信号、および当該映像信号のアスペクト比を示すアスペクト情報ＳＡに基づいて、映像信号にスクィーズ処理が施されているか否かを判断し、当該判断の結果、スクィーズ処理が施されていると判断した場合に指定された映像信号に逆スクィーズ処理を施して、規定された画像サイズの静止画の映像信号に変換する変換部１５と、変換部１５により変換された静止画の映像信号を記録する処理を行う静止画記録再生部１４と設ける。【選択図】図１
2006041897.tif 000002
【特許請求の範囲】
【請求項１】
入力された映像信号、および当該映像信号のアスペクト比を示すアスペクト情報に基づいて、前記映像信号にスクィーズ処理が施されているか否かを判断し、当該判断の結果、前記スクィーズ処理が施されていると判断した場合に指定された前記映像信号に逆スクィーズ処理を施して、規定された画像サイズの静止画の映像信号に変換する変換手段と、
前記変換手段により変換された静止画の映像信号を記録する処理を行う記録手段と
を有する映像信号処理装置。
【請求項２】
前記変換手段は、前記スクィーズ処理として規定方向に沿って画像圧縮処理が施された映像信号に、前記規定方向に沿って補間処理を施すことで、前記逆スクィーズ処理を行う
請求項１に記載の映像信号処理装置。
【請求項３】
前記入力された映像信号のアスペクト情報に基づいて、適正なアスペクト比の表示画像となるように表示処理を行う表示手段を有する
請求項１に記載の映像信号処理装置。
【請求項４】
指定された画像サイズの静止画の映像信号に応じてスクィーズ処理を施して、前記画像サイズに応じたアスペクト情報と関連付けて出力する逆変換手段を有し、
前記表示手段は、前記逆変換手段が出力する映像信号およびアスペクト情報に応じた表示処理を行う
請求項３に記載の映像信号処理装置。
【請求項５】
入力された映像信号のアスペクト情報に応じて、当該映像信号に前記スクィーズ処理を施してまたは前記スクィーズ処理を施さずに、前記アスペクト情報と関連付けて記録および記録された映像信号およびアスペクト情報の出力を行う記録再生手段を有し、
前記変換手段は、記録再生手段による映像信号およびアスペクト情報に応じた処理を行う
請求項１に記載の映像信号処理装置。
【請求項６】
複数のアスペクト比のうち指定されたアスペクト比の映像信号、および前記アスペクト比を示すアスペクト情報を出力する撮像手段を有し、
前記記録再生手段は、前記撮像手段が出力する映像信号およびアスペクト情報に応じた処理を行う
請求項５に記載の映像信号処理装置。
【請求項７】
第１および第２のアスペクト比の映像信号を、規定された画像サイズの動画の映像信号としてアスペクト比を示すアスペクト情報と関連付けて記録し、および記録した映像信号およびアスペクト情報を再生する第１の記録再生手段と、
前記第１および第２のアスペクト比に応じた画像サイズの静止画の映像信号を、当該画像サイズを示す画像サイズ情報と関連付けて記録し、および記録した映像信号および画像サイズ情報を再生する第２の記録再生手段と、
前記第１の記録再生手段が再生する動画の映像信号を、当該映像信号のアスペクト情報に応じた画像サイズの静止画の映像信号に変換して前記第２の記録再生手段に出力する変換手段と
を有する映像信号処理装置。
【発明の詳細な説明】
【技術分野】
【０００１】
本発明は、例えば複数の異なるアスペクト比の映像信号を処理する映像信号処理装置に関するものである。
【背景技術】
【０００２】
例えば、被写体を撮影して得られた映像信号を磁気テープ等の記録媒体に記録および再生するビデオテープレコーダ装置等の映像信号記録再生装置が知られている（例えば、特許文献１参照）。
【０００３】
また、異なるアスペクト比、例えば４：３や１６：９のアスペクト比の画像を得る複数の撮影モードを有する装置も知られている。
一般的な装置では、例えば４：３のアスペクト比の撮影モードで撮影した動画を、そのままのアスペクト比４：３の画像サイズの映像信号で例えば磁気テープ等の記録媒体に記録し、１６：９のアスペクト比の撮影モードで撮影した動画を、水平方向に圧縮処理を施す、いわゆるスクィーズ処理を施して上述した同じ画像サイズの映像信号で記録媒体に記録するように規定されている。
【特許文献１】特許３１５８６４９号公報
【発明の開示】
【発明が解決しようとする課題】
【０００４】
しかし、上述した装置は、スクィーズ処理が施された動画を再生して所望のタイミングの静止画を記録媒体に記録する場合に、スクィーズ処理が施されたままの静止画、つまり水平方向に圧縮された縦長の静止画を記録媒体に記録する。このため、上述の点を改善する装置が望まれている。
【０００５】
本発明は、上述した従来技術の問題点に鑑みてなされ、スクィーズ処理が施された映像信号から適正な静止画を得ることができる映像信号処理装置を提供することを目的とする。
【課題を解決するための手段】
【０００６】
前記目的を達成するために、本発明の第１の観点の映像信号処理装置は、入力された映像信号、および当該映像信号のアスペクト比を示すアスペクト情報に基づいて、前記映像信号にスクィーズ処理が施されているか否かを判断し、当該判断の結果、前記スクィーズ処理が施されていると判断した場合に指定された前記映像信号に逆スクィーズ処理を施して、規定された画像サイズの静止画の映像信号に変換する変換手段と、前記変換手段により変換された静止画の映像信号を記録する処理を行う記録手段とを有する。
【０００７】
本発明の第１の観点の映像信号処理装置によれば、変換手段は、入力された映像信号、および当該映像信号のアスペクト比を示すアスペクト情報に基づいて、前記映像信号にスクィーズ処理が施されているか否かを判断し、当該判断の結果、前記スクィーズ処理が施されていると判断した場合に指定された前記映像信号に逆スクィーズ処理を施して、規定された画像サイズの静止画の映像信号に変換する。
記録手段は、変換手段により変換された静止画の映像信号を記録する処理を行う。
【０００８】
さらに、前記目的を達成するために、本発明の第２の観点の映像信号処理装置は、第１および第２のアスペクト比の映像信号を、規定された画像サイズの動画の映像信号としてアスペクト比を示すアスペクト情報と関連付けて記録し、および記録した映像信号およびアスペクト情報を再生する第１の記録再生手段と、前記第１および第２のアスペクト比に応じた画像サイズの静止画の映像信号を、当該画像サイズを示す画像サイズ情報と関連付けて記録し、および記録した映像信号および画像サイズ情報を再生する第２の記録再生手段と、前記第１の記録再生手段が再生する動画の映像信号を、当該映像信号のアスペクト情報に応じた画像サイズの静止画の映像信号に変換して前記第２の記録再生手段に出力する変換手段とを有する。
【０００９】
本発明の第２の観点の映像信号処理装置によれば、変換手段は、第１の記録再生手段が再生する動画の映像信号を、当該映像信号のアスペクト情報に応じた画像サイズの静止画の映像信号に変換して第２の記録再生手段に出力する。
前記第２の記録再生手段は、変換手段による静止画の映像信号を記録、再生する。
【発明の効果】
【００１０】
本発明によれば、スクィーズ処理が施された映像信号から適正な静止画を得ることができる映像信号処理装置を提供することができる。
【発明を実施するための最良の形態】
【００１１】
〔第１実施形態〕
本発明の第１実施形態に係る映像信号処理装置を適用したカメラ一体型ビデオレコーダ（単にビデオレコーダとも言う）を説明する。
【００１２】
本実施形態に係るビデオレコーダは、アスペクト比が４：３と１６：９のどちらのアスペクト比の映像でも同じ画像サイズの動画としてアスペクト情報とともに記録媒体に記録および再生する動画記録再生部と、４：３と１６：９のアスペクト比に対応した画像サイズの静止画を画像サイズ情報とともに記録媒体に記録および再生する静止画記録再生部と、動画記録再生部による再生された動画を静止画に変換して記録するときに、アスペクト比を示すアスペクト情報に基づいて、スクィーズ処理が施されているか否かを判断し、当該判断の結果、スクィーズ処理が施されていると判断した場合に逆スクィーズ処理を施して、規定された画像サイズの静止画の映像信号に変換する変換部とを有する。
【００１３】
以下、詳細に図面を参照しながら説明する。
【００１４】
図１は、本発明の第１実施形態に係る映像信号処理装置を適用したビデオレコーダの機能ブロック図である。
本実施形態に係るビデオレコーダ１は、例えば図１に示すように、撮像部１０、モード設定部１１、タイミング設定部１２、動画記録再生部１３、静止画記録再生部１４、変換部１５、逆変換部１６、出力系１７、制御部１８、およびセレクタＳＷ１〜ＳＷ３を有する。
【００１５】
変換部１５および制御部１８は本発明に係る変換手段の一例に相当する。逆変換部１６は本発明に係る逆変換手段の一例に相当する。
動画記録再生部１３は本発明に係る第１の記録再生手段および記録再生手段の一例に相当する。
静止画記録再生部１４は本発明に係る第２の記録再生手段および記録手段の一例に相当する。
撮像部１０は本発明に係る撮像手段の一例に相当する。
出力系１７は本発明に係る表示手段の一例に相当する。
【００１６】
撮像部１０は、アスペクト切り替えが可能で、例えば４：３およびワイドアスペクト比の１６：９の映像信号が出力可能である。
例えば、撮像部１０は、制御部１８の制御により、複数のアスペクト比のうち指定されたアスペクト比の映像信号、およびアスペクト比を示すアスペクト情報を出力する。
詳細には、撮像部１０は、映像信号Ｓ１０をセレクタＳＷ１に出力し、またアスペクト比を示すアスペクト情報ＳＡを動画記録再生部１３や制御部１８等に出力する。
【００１７】
撮像部１０は、例えばＣＣＤ（Charge Coupled Device）やＣＭＯＳ（Complementary Metal Oxide Semiconductor）等の撮像素子から出力された信号にＡ／Ｄ（アナログ／デジタル）変換処理を施すＡＤ（アナログ／デジタル）変換回路、ガンマ補正処理やＡＧＣ（Automatic Gain Control）処理を施す処理回路等により構成されている。
【００１８】
モード設定部１１は、複数のモード、例えば動画や静止画を撮影する範囲を示すアスペクト比、本実施形態では例えば４：３や１６：９のアスペクト比の映像信号を得る撮影モードを設定する際や、動画撮影モードや静止画撮影モードを設定する際や、例えば再生された動画のうち指定されたタイミングの静止画を記録する等の編集モードを設定する場合に操作され、その操作に応じた信号Ｓ１１を制御部１８に出力する。
【００１９】
制御部１８は、信号Ｓ１１を受けると、信号Ｓ１１が示すモードに応じた処理を行う。例えば制御部１８は、信号Ｓ１１が示すモードに応じたアスペクト比に設定させる制御信号ＣＴＬ１０を撮像部１０に出力する。撮像部１０は制御信号ＣＴＬ１０を受けると、その制御信号ＣＴＬ１０に応じたアスペクト比の画像を示す映像信号を生成する。
モード設定部１１は、例えば操作ボタンやタッチパネル等の操作入力装置により構成される。
【００２０】
タイミング設定部１２は、例えば、動画記録再生部１３により再生される動画を示す映像信号のうち、所望のタイミングの静止画を指定する場合に操作され、その操作に応じた信号Ｓ１２を制御部１８に出力する。
また、タイミング設定部１２は、例えば動画撮影モード時には記録開始や記録停止の際に操作され、静止画撮影モード時には所望のシャッタタイミングに操作され、その操作に応じた信号Ｓ１２を制御部１８に出力する。
制御部１８は、タイミング設定部１２から出力された信号Ｓ１２を受けて、その信号Ｓ１２に応じた処理を行う。
【００２１】
セレクタＳＷ１〜ＳＷ３は、制御部１８の制御により、各構成要素間の導通状態または非導通状態を切り替える。
例えばセレクタＳＷ１は端子ＳＷ１ａ〜ＳＷ１ｃを有し、セレクタＳＷ２は端子ＳＷ２ａ〜ＳＷ２ｃを有し、セレクタＳＷ３は端子ＳＷ３ａ〜ＳＷ３ｃを有する。
【００２２】
端子ＳＷ１ａは撮像部１０に接続され、端子ＳＷ１ｂはノードＮＤ１を介して変換部１５および動画記録再生部１３に接続され、端子ＳＷ１ｃは端子ＳＷ２ｂに接続されている。
端子ＳＷ２ａは逆変換部１６に接続され、端子ＳＷ２ｂは端子ＳＷ１ｃに接続され、端子ＳＷ２ｃはノードＮＤ２を介して動画記録再生部１３および出力系１７のアスペクト変換部１７１に接続されている。
端子ＳＷ３ａはノードＮＤ３を介して撮像部１０および端子ＳＷ１ａと接続され、端子ＳＷ３ｂは変換部１５に接続され、端子ＳＷ３ｃは静止画記録再生部１４に接続されている。
【００２３】
動画記録再生部１３は、例えば制御部１８の制御により、第１および第２のアスペクト比の映像信号を、規定された画像サイズの動画の映像信号としてアスペクト比を示すアスペクト情報と関連付けて記録および記録した映像信号およびアスペクト情報を再生する。
【００２４】
動画記録再生部１３は、例えば制御部１８からの制御信号ＣＴＬ１３に基づいて、入力された映像信号のアスペクト情報ＳＡに応じて、当該映像信号にスクィーズ処理を施してまたはスクィーズ処理を施さずに、アスペクト情報と関連付けて記録媒体１００に記録し、記録媒体１００に記録された映像信号およびアスペクト情報ＳＡを再生して出力する。
【００２５】
より具体的には、動画記録再生部１３は、動画の記録フォーマットがＳＤ（スタンダード画像）の場合に、撮像部１０から出力された動画の映像信号のアスペクト比が４：３の場合には、４：３のアスペクト比の画像サイズで映像信号の記憶を行う。
また、動画記録再生部１３は、撮像部１０から出力された動画の映像信号のアスペクト比が１６：９の場合には、規定された方向に沿って、具体的には横方向（水平方向）に沿って画像圧縮処理を施して、画像サイズが４：３である動画の映像信号（スクィーズ記録やフルモード記録等ともいう）を記録媒体１００に記録する。
上述したようにワイドアスペクト比１６：９の画像をスクィーズ記録することで、例えば１６：９の表示画面の表示装置で表示する際に水平方向に拡大して表示させることで、例えば４：３の画像を水平方向に拡大して表示させる場合と比べて、高品質の表示画像を得ることができる。
【００２６】
動画記録再生部１３は、規定された記録再生方式、例えば、ＮＴＳＣ（National Television Standards Committee）、ＤＶ（Digital Video）、ＭＰＥＧ（Moving Picture Experts Group）等の記録再生方式により動画の映像信号を記録媒体１００に記録する、および記録媒体１００に記録された映像信号を再生する。
【００２７】
記録媒体１００は、例えば磁気テープ、ＤＶＤ（Digital Versatile Disk）、光磁気ディスク、書き込みおよび読み出し可能なＣＤ（Compact Disc）、磁気ハードディスクや、メモリカード等の記録媒体である。この記録媒体１００はビデオレコーダ１に取り付けおよび取り外し可能であり、それに伴い、ビデオレコーダ１の動画記録再生部１３と電気的に接続および非接続可能である。
【００２８】
また、記録媒体１００に記録された映像信号は、上述した記録再生方式と同じ規格の再生や記録機能を有する他の映像信号処理装置やパーソナルコンピュータ等により再生可能である。また、動画記録再生部１３は、他の映像信号記録装置により、上述した記録再生方式により記録媒体１００に記録された映像信号も再生可能である。
【００２９】
静止画記録再生部１４は、例えば制御部１８の制御により、第１および第２のアスペクト比に応じた画像サイズの静止画の映像信号を、当該画像サイズを示す画像サイズ情報と関連付けて記録媒体１０１に記録し、および記録媒体１０１に記録した映像信号および画像サイズ情報を再生する。
【００３０】
静止画記録再生部１４は、規定された記録再生方式、例えば、ＪＰＥＧ（Joint Photographic Experts Group）、ＧＩＦ（Graphic Interchange Format）、ＰＮＧ（Portable Network Graphics）等の記録再生方式により静止画の映像信号を記録媒体１０１に記録および記録された映像信号を再生する。
【００３１】
記録媒体１０１は、例えば磁気テープ、ＤＶＤ（Digital Versatile Disk）、光磁気ディスク、書き込みおよび読み出し可能なＣＤ（Compact Disc）、磁気ハードディスクや、メモリカード等の記録媒体である。この記録媒体１０１はビデオレコーダ１に電気的に取り付けおよび取り外し可能であり、それに伴い、ビデオレコーダ１の動画記録再生部１３と電気的に接続および非接続可能である。
記録媒体１０１に記録された映像信号は、上述した記録再生方式と同じ規格の再生や記録機能を有する他の映像信号処理装置やパーソナルコンピュータ等により再生可能である。また、静止画記録再生部１４は、他の映像信号記録装置により、上述した記録再生方式により記録媒体１０１に記録された映像信号も再生可能である。
【００３２】
例えば、静止画記録再生部１４は、制御部１８からの制御信号ＣＴＬ１４に応じて、変換部１５により変換された静止画の映像信号を記録する処理を行う。
【００３３】
変換部１５は、例えば制御部１８の制御により、入力された映像信号、および当該映像信号のアスペクト比を示すアスペクト情報ＳＡに基づいて、映像信号にスクィーズ処理が施されているか否かを判断し、当該判断の結果、スクィーズ処理が施されていると判断した場合に指定された映像信号に逆スクィーズ処理を施して、規定された画像サイズの静止画の映像信号に変換して、信号Ｓ１５として出力する。
【００３４】
変換部１５は、詳細には制御部１８からの制御信号ＣＴＬ１５により、動画記録再生部１３が再生する動画の映像信号Ｓ１３を、当該映像信号のアスペクト情報ＳＡに応じた画像サイズの静止画の映像信号Ｓ１５に変換して静止画記録再生部１４に出力する。
【００３５】
この際、変換部１５は、スクィーズ処理として規定方向（例えば水平方向）に沿って画像圧縮処理が施された映像信号に、規定方向（例えば水平方向）に沿って補間処理を施すことで、逆スクィーズ処理を行う。
逆スクィーズ処理は、上述した形態に限られるものではない。例えば変換部１５は、スクィーズ処理として規定方向（例えば水平方向）に沿って画像圧縮処理が施された映像信号に、規定方向と直行する方向に沿って、間引く処理を行うことにより、逆スクィーズ処理を行ってもよい。
また、静止画の画像サイズは任意なので、変換部１５は、水平方向や垂直方向に拡大処理または縮小処理を施して、水平方向と垂直方向のサイズの比が１６：９となるような変換処理を行ってもよい。
【００３６】
本実施形態では、変換部１５は、制御部１８の制御により、例えばアスペクト比が１６：９でスクィーズ処理が施された動画の映像信号が入力された場合に、その映像信号に対応するアスペクト情報ＳＡに基づいて、縦横の画像サイズを１６：９のアスペクト比の静止画の映像信号Ｓ１５に変換して、画像サイズを示す画像サイズ情報ＳＢとともに静止画記録再生部１４に出力する。静止画記録再生部１４は、その静止画の映像信号Ｓ１５と画像サイズ情報ＳＢを記録媒体１０１に記録する。
【００３７】
一方、変換部１５は、制御部１８の制御により、例えばアスペクト比が４：３でスクィーズ処理が施されていない動画の映像信号が入力された場合には、その映像信号に対応するアスペクト情報ＳＡに基づいて、その変換処理を施すことなく、４：３のアスペクト比の静止画の映像信号Ｓ１５を、画像サイズを示す画像サイズ情報ＳＢとともに静止画記録再生部１４に出力する。静止画記録再生部１４は、その静止画の映像信号Ｓ１５と画像サイズ情報ＳＢを記録媒体１０１に記録する。
また、ＨＤ（ハイディフィニション）映像信号が入力された場合には、ＨＤ映像信号のアスペクト比が１６：９なので、変換部１５は、アスペクト比の変換処理を行わずに、そのままのＨＤ信号を、静止画記録再生部１４に出力する。ただし、変換部１５は、前述したようにアスペクト変換処理を伴わない水平方向や垂直方向に沿ったサイズの変換処理を行ってもよい。
【００３８】
静止画記録再生部１４が再生する静止画の映像信号Ｓ１４は、例えば出力系１７により表示可能である。
例えば、本実施形態では、後述するように、入力された映像信号のアスペクト情報に基づいて、適正なアスペクト比の表示画像となるように表示処理を行う出力系１７を有する。
【００３９】
また、上述した出力系１７により静止画記録再生部１４が再生する静止画の映像信号を表示させる場合には、逆変換部１６を設けることにより、出力系１７に変更を加えることなく、適正な静止画の映像信号を表示させることができる。
【００４０】
例えば、逆変換部１６は、制御部１８からの制御信号ＣＴＬ１６により、指定された画像サイズの静止画の映像信号に応じてスクィーズ処理を施して、静止画の映像信号Ｓ１６を生成し、画像サイズ情報ＳＢに応じたアスペクト情報ＳＡと関連付けて出力する。
【００４１】
出力系１７は、映像信号に応じた表示処理や出力処理等の処理を行う。例えば出力系１７は、規定されたアスペクト比の表示画面の表示装置を有し、その表示画面のアスペクト比と、入力された映像信号のアスペクト情報ＳＡに応じて表示処理を行う。
【００４２】
例えば、出力系１７は、上述したように入力された映像信号のアスペクト情報に基づいて、適正なアスペクト比の表示画像となるように表示処理を行う。
【００４３】
本実施形態では出力系１７は、図１に示すように、アスペクト変換部１７１、表示パネル１７２、ファインダ１７３、および外部出力部１７４を有する。
【００４４】
具体的には、ＬＣＤ（Liquid Crystal Display）や有機ＥＬ（Electroluminescence）等の表示装置により構成される表示パネル１７２やＥＶＦ（Electronic View Finder）などのファインダ１７３は、表示画面がアスペクト比が４：３か１６：９かに応じて、適正なアスペクト比の表示画像を表示する。
【００４５】
例えば本実施形態では、アスペクト変換部１７１は、例えば制御部１８からの制御信号ＣＴＬ１７１により、入力された映像信号のアスペクト情報を基に必要に応じて、例えば画像の上端部や下端部、または左端部や右端部に黒画像（黒帯）を付加して出力する。
【００４６】
また、アスペクト変換部１７１は、表示パネル１７２やファインダ１７３等の表示装置へ、装置本体内での変換処理の他、アスペクト比が４：３の画像サイズのまま、ノーマルモードかフルモード（スクィーズ）か、レターＢＯＸかなどを示すワイド情報を映像信号のＶブランキング区間やＳ映像端子のクロマ（色）出力にＤＣ値を重畳する方法等により出力し、表示装置で適正な画像表示を行ってもよい。
外部出力部１７４は、静止画や動画像等の映像信号の画像サイズに応じたアスペクト情報ＳＡを、その映像信号に関連付けて付加して出力する。こうすることで、他の表示装置では、外部出力部１７４から出力された映像信号およびアスペクト情報ＳＡに応じて、歪のない適正なアスペクト比の画像表示を行うができる。
【００４７】
制御部１８は、装置の各構成要素を統括的に制御する。
例えば制御部１８は、モード設定部１１やタイミング設定部１２から入力された信号に応じて各構成要素を制御して、本発明に係る処理を行う。
【００４８】
図２は、図１に示したビデオレコーダの動作を説明するための図である。図３は、図１に示したビデオレコーダ１の動作の一具体例を説明するためのフローチャートである。
以下、図２，３を参照しながら、図１に示した映像信号処理装置の動作を、制御部１８の動作を中心に説明する。
【００４９】
〔アスペクト比４：３の第１動画撮影モード〕
制御部１８は、モード設定部１１からアスペクト比４：３の第１動画撮影モードを設定させる信号Ｓ１１が入力されると、第１撮影モードを設定させる制御信号ＣＴＬ１０を撮像部１０に出力する。また、制御部１８は、セレクタＳＷ１の端子ＳＷ１ａと端子ＳＷ１ｃとを導通状態に設定し、セレクタＳＷ２の端子ＳＷ２ｂと端子ＳＷ２ｃとを導通状態に設定する。
【００５０】
撮像部１０は、その制御信号ＣＴＬ１０を受けて、例えば図２に示すように、アスペクト比４：３の映像信号Ｓ１０（ＳＤ）と、アスペクト比４：３を示すアスペクト情報ＳＡを制御部１８や動画記録再生部１３に出力する。信号Ｓ１０は端子ＳＷ１ａと端子ＳＷ１ｃ、および端子ＳＷ２ｂと端子ＳＷ２ｃを介して、出力系１７や動画記録再生部１３に出力される。出力系１７は、その信号Ｓ１０に応じた出力を行う。
【００５１】
制御部１８は、タイミング設定部１２から記録開始指示を示す信号が入力された場合には、記録開始指示を示す制御信号ＣＴＬ１３を動画記録再生部１３に出力する。動画記録再生部１３は、その制御信号ＣＴＬ１３を受けて、例えば図２に示すように、映像信号Ｓ１０（ＲＳＤ）をアスペクト情報ＳＡと関連付けて規定された記録再生方式により記録媒体１００に記録する。
また、制御部１８は、タイミング設定部１２から記録終了指示を示す信号が入力された場合には、記録終了指示を示す制御信号ＣＴＬ１３を動画記録再生部１３に出力する。動画記録再生部１３は、その制御信号ＣＴＬ１３を受けて記録処理を停止する。
【００５２】
〔アスペクト比１６：９の第２動画撮影モード〕
制御部１８は、モード設定部１１からアスペクト比１６：９の第２動画撮影モードを設定させる信号Ｓ１１が入力されると、第２動画撮影モードを設定させる制御信号ＣＴＬ１０を撮像部１０に出力する。また、制御部１８は、セレクタＳＷ１の端子ＳＷ１ａと端子ＳＷ１ｃとを導通状態に設定し、セレクタＳＷ２の端子ＳＷ２ｂと端子ＳＷ２ｃとを導通状態に設定する。
【００５３】
撮像部１０は、その制御信号ＣＴＬ１０を受けて、例えば図２に示すように、アスペクト比１６：９の映像信号Ｓ１０（Ｗ）と、アスペクト比１６：９を示すアスペクト情報ＳＡを制御部１８や動画記録再生部１３に出力する。信号Ｓ１０は端子ＳＷ１ａと端子ＳＷ１ｃ、および端子ＳＷ２ｂと端子ＳＷ２ｃを介して、出力系１７や動画記録再生部１３に出力される。出力系１７は、その信号Ｓ１０に応じた出力を行う。
【００５４】
制御部１８は、タイミング設定部１２から記録開始指示を示す信号が入力された場合には、記録開始指示を示す制御信号ＣＴＬ１３を動画記録再生部１３に出力する。動画記録再生部１３は、その制御信号ＣＴＬ１３、およびアスペクト情報ＳＡを受けて、例えば図２に示すように、規定された方向に沿って、具体的には横方向（水平方向）に沿って画像圧縮処理（スクィーズ処理）を施して、画像サイズが４：３である動画（スクィーズ記録）の映像信号Ｓ１０（ＲＷＳＱ）をアスペクト情報ＳＡと関連付けて規定された記録再生方式により記録媒体１００に記録する。
また、制御部１８は、タイミング設定部１２から記録終了指示を示す信号が入力された場合には、記録終了指示を示す制御信号ＣＴＬ１３を動画記録再生部１３に出力する。動画記録再生部１３は、その制御信号ＣＴＬ１３を受けて記録処理を停止する。
【００５５】
〔編集モード〕
制御部１８は、モード設定部１１から編集モードを設定させる信号Ｓ１１が入力されると、セレクタＳＷ１の端子ＳＷ１ｂと端子ＳＷ１ｃとを導通状態に設定し、セレクタＳＷ２の端子ＳＷ２ｂと端子ＳＷ２ｃとを導通状態に設定し、セレクタＳＷ３の端子ＳＷ３ｂと端子ＳＷ３ｃとを導通状態に設定する。
【００５６】
制御部１８は、再生指示を示す制御信号ＣＴＬ１３を動画記録再生部１３に出力する。動画記録再生部１３は、記録媒体１００に記録された映像信号を読み出して、映像信号Ｓ１３およびその映像信号Ｓ１３に関連付けられたアスペクト情報ＳＡを出力する。
映像信号Ｓ１３は、変換部１５、並びに、端子ＳＷ１ｂ、端子ＳＷ１ｃ、端子ＳＷ２ｂ、および端子ＳＷ２ｃを介して出力系１７に出力される。
【００５７】
例えば、出力系１７は、４：３のアスペクト比の映像信号Ｓ１３（ＲＳＤ）が入力されると、表示パネル１７２やファインダ１７３で規定されるアスペクト比が４：３の場合には、図２に示すように、アスペクト比が４：３の表示画像ＤＲＳＤを表示する処理を行い、表示パネル１７２やファインダ１７３で規定されるアスペクト比が１６：９の場合には、例えば図２に示すように左右両端部に黒帯画像を付加した表示画像ＤＲＳＤＷを表示する処理を行う。
【００５８】
一方、出力系１７は、１６：９のアスペクト比の映像信号Ｓ１３（ＲＷＳＱ）が入力されると、表示パネル１７２やファインダ１７３で規定されるアスペクト比が１６：９の場合には、図２に示すように、表示画像が適正なアスペクト比となるように表示処理を行い、画像ＤＲＷＳＱを表示し、表示パネル１７２やファインダ１７３で規定されるアスペクト比が４：３の場合には、例えば図２に示すように上下両端部に黒帯画像を付加した表示画像ＤＲＷＳＱＳＤを表示する処理を行う。
【００５９】
制御部１８は、タイミング設定部１２から、動画記録再生部１３により再生される動画を示す映像信号のうち、所望のタイミングの静止画を指定する信号Ｓ１２が入力された場合には、その指示された映像信号を静止画記録再生部１４に記録させる。
この際、変換部１５は、制御部１８からの制御信号ＣＴＬ１５により、例えば動画記録再生部１３から入力された映像信号Ｓ１３、および当該映像信号Ｓ１３のアスペクト比を示すアスペクト情報ＳＡが入力されると（ＳＴ１）、その映像信号Ｓ１３およびアスペクト情報ＳＡに基づいて、映像信号Ｓ１３にスクィーズ処理が施されているか否かを判断し（ＳＴ２）、当該判断の結果、スクィーズ処理が施されていると判断した場合に指定された映像信号Ｓ１３に逆スクィーズ処理を施して、規定された画像サイズの静止画の映像信号Ｓ１５に変換し静止画記録再生部１４に出力する（ＳＴ３）。
【００６０】
詳細には、変換部１５は、４：３のアスペクト比の映像信号Ｓ１３（ＲＳＤ）と、４：３のアスペクト比を示すアスペクト情報ＳＡが入力されると、スクィーズ処理が施されていないと判断して、逆スクィーズ処理を施すことなく、その映像信号Ｓ１３（ＲＳＷ）を信号Ｓ１５として、端子ＳＷ３ｂ，ＳＷ３Ｃを介して静止画記録再生部１４に出力する。静止画記録再生部１４はその映像信号Ｓ１５を受けて、静止画の映像信号Ｓ１５（ＰＳＤ）として、画像サイズ情報ＳＢと関連付けて記録媒体１０１に記録する（ＳＴ４）。
【００６１】
一方、変換部１５は、１６：９のアスペクト比の映像信号Ｓ１３（ＲＷＳＱ）と、１６：９のアスペクト比を示すアスペクト情報ＳＡが入力されると、スクィーズ処理が施されていると判断して、映像信号Ｓ１３（ＲＷＳＱ）に逆スクィーズ処理、詳細には例えば水平方向に補間処理を施して、規定された画像サイズの静止画の映像信号Ｓ１５（ＰＷ）に変換して、端子ＳＷ３ｂ，ＳＷ３Ｃを介して静止画記録再生部１４に出力する。静止画記録再生部１４はその映像信号Ｓ１５を受けて、静止画の映像信号Ｓ１５（ＰＷ）として、画像サイズ情報ＳＢと関連付けて記録媒体１０１に記録する（ＳＴ４）。
【００６２】
〔静止画表示モード〕
制御部１８は、モード設定部１１から静止画表示モードを設定させる信号Ｓ１１が入力されると、セレクタＳＷ２の端子ＳＷ２ａと端子ＳＷ２ｃとを導通状態に設定する。
【００６３】
制御部１８は、再生指示を示す制御信号ＣＴＬ１４を静止画記録再生部１４に出力する。静止画記録再生部１４は記録媒体１０１に記録された静止画の映像信号を読み出して、映像信号Ｓ１４およびその映像信号Ｓ１４に関連付けられた画像サイズ情報ＳＢを出力する。
逆変換部１６は、制御部１８からの制御信号ＣＴＬ１６により、指定された画像サイズ情報ＳＢを基に、静止画の映像信号Ｓ１４に応じてスクィーズ処理を施しまたは施さずに、静止画の映像信号Ｓ１６を生成し、端子ＳＷＳ２ａおよび端子ＳＷ２ｃを介して出力系１７に出力する。
【００６４】
詳細には、例えば逆変換部１６は、４：３のアスペクト比の静止画の映像信号Ｓ１４（ＰＳＤ）が入力された場合には、逆変換処理（スクィーズ処理）を施すことなく、そのまま信号Ｓ１４（ＰＳＤ）を信号Ｓ１６として、画像サイズ情報ＳＢに応じたアスペクト情報ＳＡと関連付けて出力系１７に出力する。
【００６５】
一方、例えば逆変換部１６は、１６：９のアスペクト比の静止画の映像信号Ｓ１４（ＰＷ）が入力された場合には、制御部１８からの制御信号ＣＴＬ１６により、指定された画像サイズ情報ＳＢを基に、静止画の映像信号Ｓ１４に応じて逆変換処理（スクィーズ処理）を施して、詳細には規定方向（例えば水平方向）に沿って間引く処理を施して、例えば図２に示すような映像信号Ｓ１６（ＰＷＳＱ）を生成して、画像サイズ情報ＳＢに応じたアスペクト情報ＳＡと関連付けて出力系１７に出力する。
【００６６】
出力系１７は、上述したように、制御部１８の制御により、入力された静止画の信号Ｓ１６およびアスペクト情報ＳＡに基づいて、表示装置により規定されるアスペクト比に応じた表示処理を行う。
【００６７】
〔静止画撮影モード〕
制御部１８は、モード設定部１１からアスペクト比４：３や１６：９の静止画撮影モードを設定させる信号Ｓ１１が入力されると、その静止画撮影モードを設定させる制御信号ＣＴＬ１０を撮像部１０に出力する。また、制御部１８は、セレクタＳＷ３の端子ＳＷ３ａと端子ＳＷ３ｃとを導通状態に設定する。
【００６８】
撮像部１０は、その制御信号ＣＴＬ１０を受けて、アスペクト比４：３やアスペクト比１６：９の静止画の映像信号Ｓ１０と、アアスペクト情報ＳＡを制御部１８や静止画記録再生部１４に出力する。信号Ｓ１０は端子ＳＷ３ａと端子ＳＷ３ｃを介して静止画記録再生部１４に出力される。
静止画記録再生部１４は、制御部１８による制御信号ＣＴＬ１４により、アスペクト情報ＳＡに応じた画像サイズと関連付けて、静止画の映像信号Ｓ１０を、規定された記録再生方式により記録媒体１０１に記録する。
【００６９】
以上、説明したように、本実施形態に係るビデオレコーダ１は、入力された映像信号、および当該映像信号のアスペクト比を示すアスペクト情報ＳＡに基づいて、映像信号にスクィーズ処理が施されているか否かを判断し、当該判断の結果、スクィーズ処理が施されていると判断した場合に指定された映像信号に逆スクィーズ処理を施して、規定された画像サイズの静止画の映像信号に変換する変換部１５と、変換部１５により変換された静止画の映像信号を記録する処理を行う静止画記録再生部１４と設けたので、スクィーズ処理が施された映像信号から適正な静止画を得ることができる。
【００７０】
つまり、動画の映像信号のアスペクト情報ＳＡにより、静止画キャプチャー時にそのアスペクト比の画像サイズで静止画を記録することにより、正しいアスペクト比の静止画の映像信号を記録媒体１０１に記録することができる。
【００７１】
また、変換部１５は、例えばスクィーズ処理として規定方向に沿って画像圧縮処理が施された映像信号に、規定方向に沿って補間処理を施すことで、逆スクィーズ処理を行うので、簡単な処理により本発明を実現することができる。また処理負荷も小さい。
【００７２】
また、入力された映像信号のアスペクト情報に基づいて、適正なアスペクト比の表示画像となるように表示処理を行う出力系１７と、静止画記録再生部１４から出力された、指定された画像サイズの静止画の映像信号に応じてスクィーズ処理を施して、画像サイズに応じたアスペクト情報と関連付けて出力する逆変換部１６とを設け、例えば出力系１７の表示パネル１７２やファインダ１７３は、逆変換部１６が出力する映像信号Ｓ１６およびアスペクト情報ＳＡに応じた表示処理を行うので、静止画再生時と動画再生時と共通の出力系１７を用いることができ、別途、静止画再生用の表示処理回路を設けるのと比べて、回路構成を簡単にすることができる。
【００７３】
また、第１および第２のアスペクト比の映像信号を、規定された画像サイズの動画の映像信号としてアスペクト比を示すアスペクト情報と関連付けて記録および記録した映像信号およびアスペクト情報を再生する動画記録再生部１３と、第１および第２のアスペクト比に応じた画像サイズの静止画の映像信号を、当該画像サイズを示す画像サイズ情報と関連付けて記録および記録した映像信号および画像サイズ情報を再生する静止画記録再生部１４と、動画記録再生部１３が再生する動画の映像信号を、当該映像信号のアスペクト情報に応じた画像サイズの静止画の映像信号に変換して静止画記録再生部１４に出力する変換部１５とを設けたので、簡単な回路構成で、適正な静止画を得ることができる。
【００７４】
〔第２実施形態〕
図４は、本発明の第２実施形態に係る映像信号処理装置を適用したビデオレコーダの機能ブロック図である。
本実施形態に係るビデオレコーダ１ａは、例えば図４に示すように、撮像部１０、モード設定部１１、タイミング設定部１２、動画記録再生部１３、静止画記録再生部１４、変換部１５、逆変換部１６、出力系１７、制御部１８、外部入力部１９、およびセレクタＳＷ１〜ＳＷ５を有する。
本実施形態に係るビデオレコーダ１ａは、例えば第１実施形態と比べて、外部入力部１９とセレクタＳＷ４，ＳＷ５を設けた点である。第１実施形態との相違点を中心に説明し、第１実施形態と同一の構成要素および動作については説明を省略する。
【００７５】
外部入力部１９は、動画の映像信号Ｓ１９、例えばアナログ信号やデジタル信号、圧縮処理または非圧縮処理が施された映像信号、およびその映像信号Ｓ１９のアスペクト比を示すアスペクト情報ＳＡを出力する。
【００７６】
セレクタＳＷ４は、端子ＳＷ４ａ、端子ＳＷ４ｂ、および端子ＳＷ４ｃを有し、セレクタＳＷ５は、端子ＳＷ５ａ、端子ＳＷ５ｂ、および端子ＳＷ５ｃを有する。
【００７７】
端子ＳＷ４ａは、動画記録再生部１３に接続され、端子ＳＷ４ｂは外部入力部１９の映像信号出力に接続され、端子ＳＷ４ｃはノードＮＤ１を介して変換部１５および端子ＳＷ１ｂに接続されている。
端子ＳＷ５ａは、動画記録再生部１３および制御部１８に接続され、端子ＳＷ５ｂは外部入力部１９のアスペクト情報出力に接続され、端子ＳＷ５ｃは静止画記録再生部１４に接続されている。
【００７８】
〔外部入力モード〕
例えば外部入力モード時以外の初期設定時には、制御部１８は、セレクタＳＷ４の端子ＳＷ４ａと端子ＳＷ４ｃとを導通状態に設定し、セレクタＳＷ５の端子ＳＷ５ａと端子ＳＷ５ｃとを導通状態に設定する。
制御部１８は、モード設定部１１から外部入力モードを設定させる信号Ｓ１１が入力されると、セレクタＳＷ４の端子ＳＷ４ｂと端子ＳＷ４ｃとを導通状態に設定し、セレクタＳＷ５の端子ＳＷ５ｂと端子ＳＷ５ｃとを導通状態に設定する。
【００７９】
外部入力部１９は、端子ＳＷ４ｂ，ＳＷ４ｃを介して映像信号Ｓ１９を変換部１５に出力する。
また、外部入力部１９は、アスペクト情報ＳＡを制御部１８、および、端子ＳＷ５，ＳＷ５ｃを介して変換部１５および静止画記録再生部１４に出力する。
【００８０】
制御部１８、変換部１５、静止画記録再生部１４の処理は、第１実施形態と同様なので、説明を省略する。
【００８１】
以上、説明したように、簡単な回路構成、詳細には外部入力部１９とセレクタＳＷ４，ＳＷ５を第１実施形態に係るビデオレコーダ１にさらに設けることにより、外部入力部１９からの映像信号Ｓ１９およびアスペクト情報ＳＡを、本発明に係る変換処理を施して、所望の静止画の映像信号を静止画記録再生部１４により記録媒体１０１に記録することができる。
【００８２】
なお、本発明は本実施形態に限られるものではなく、任意好適な改変が可能である。
例えば、動画記録再生部１３はテープやディスクなどの比較的容量の大きい記録媒体１００に記録し、静止画記録再生部１４は書き換え可能な半導体メモリなどの記録媒体１００と比べて比較的容量の小さい記録媒体１０１を使ってもよいし、この形態に限られるものではない。
【００８３】
また、実施形態では記録媒体１００と記録媒体１０１の２個の記録媒体を用いたがこの形態に限られるものではない。例えば、１個の同じ記録媒体に動画および静止画の映像信号を記録してもよい。
【００８４】
また、本実施形態では、動画記録再生部１３および静止画記録再生部１４は、記録媒体に映像信号を記録したが、この形態に限られるものではない。例えば動画記録再生部１３および静止画記録再生部１４は有線方式や無線方式により本装置以外の外部の記録装置に映像信号を記録し、および再生してもよい。
【産業上の利用可能性】
【００８５】
本発明は、例えば複数の異なるアスペクト比の映像信号を処理する映像信号処理装置に適用できる。
【図面の簡単な説明】
【００８６】
【図１】本発明の第１実施形態に係る映像信号処理装置を適用したビデオレコーダの機能ブロック図である。
【図２】図１に示したビデオレコーダの動作を説明するための図である。
【図３】図１に示したビデオレコーダの動作の一具体例を説明するためのフローチャートである。
【図４】本発明の第２実施形態に係る映像信号処理装置を適用したビデオレコーダの機能ブロック図である。
【符号の説明】
【００８７】
１，１ａ…ビデオレコーダ、１０…撮像部、１１…モード設定部、１２…タイミング設定部、１３…動画記録再生部、１４…静止画記録再生部、１５…変換部、１６…逆変換部、１７…出力系、１８…制御部、１９…外部入力部、１００，１０１…記録媒体、１７１…アスペクト変換部、１７２…表示パネル、１７３…ファインダ、１７４…外部出力部、ＳＷ１〜ＳＷ５…セレクタ。
【図１】
2006041897.tif 000003
【図２】
2006041897.tif 000004
【図３】
2006041897.tif 000005
【図４】
2006041897.tif 000006